(57)【要約】  本発明は、一般式（I）のカチオン性アゾアジン色素及び前記化合物を含有するケラチン繊維用着色剤に関する。    【化１】2008517110.tif 000035
2008517110.tif 000002
【特許請求の範囲】
【請求項１】
【化１】
2008517110.tif 000032
式中、
Ｒ１は、式（ＩＩ）、（ＩＩＩ）、（ＩＶ）、（Ｖ）及び（ＶＩ）の残基から選択され
【化２】
2008517110.tif 000033
Ｒ２、Ｒ４及びＲ５は、同じか又は異なることができ、互いから独立して、式（ＶＩＩ）、（ＶＩＩＩ）及び（ＩＸ）の残基から選択され、
【化３】
2008517110.tif 000034
Ｒ３、Ｒ３’、Ｒ６、Ｒ６’、Ｒ７、Ｒ７’及びＲ８は、同じか又は異なることができ、互いから独立して、水素、Ｃ1〜Ｃ6−アルキルアミノ基、Ｃ1〜Ｃ6−Ｎ，Ｎ−ジアルキルアミノ基、Ｃ1〜Ｃ6−Ｎ，Ｎ−ジヒドロキシアルキイリデンルアミノ基、Ｃ1〜Ｃ6−Ｎ−ヒドロキシアルキル−Ｎ−アルキルアミノ基、Ｃ1〜Ｃ6−アルキルシアノ基、ニトロ基、シアノ基、アミノ基、ニトロソ基、ヒドロキシ基、メトキシメチル基、第三ブチル基、イソ−プロピル基、Ｃ1〜Ｃ6−アルキル基、Ｃ1〜Ｃ6−アルキルオキシ基、Ｃ1〜Ｃ6−ヒドロキシアルキル基、Ｃ1〜Ｃ6−アルキルカルボン酸基、Ｃ1〜Ｃ6−アルキルカルボン酸エステル基、Ｃ1〜Ｃ6−アルキルスルホン酸基、Ｃ1〜Ｃ6−アルキルスルホン酸エステル基、又は、−Ｎ−（Ｌ）−Ｂ+基であり、Ｌは、Ｃ1〜Ｃ6アルキレン基を表し、Ｂ+は、ａ）芳香族複素環式四級アンモニウム化合物、又は、ｂ）非芳香族複素環式四級アンモニウム化合物、又は、ｃ）四級アルキルアンモニウム化合物もしくは式ＮＲaＲbＲcのアリールアンモニウム化合物を表し、式中、Ｒa、Ｒb及びＲcは、お互いから独立して、ベンジル残基、フェニル残基もしくはＣ1〜Ｃ6−アルキル残基、エチル残基、プロピル残基、イソプロピル残基もしくはブチル残基を示し、ここで、上述の通り名前を付けられたアルキル残基は、１つ以上のヒドロキシル基もしくはアミノ基によって置換されていてもいなくてもよく、又は、ｄ）四級ホスホニウム基を表し、Ｒ９は、分岐鎖もしくは直鎖のＣ1〜Ｃ6−アルキル基、分岐鎖もしくは直鎖のＣ2〜Ｃ4−ヒドロキシアルキル基、又は、分岐鎖もしくは直鎖のＣ4〜Ｃ6−ポリヒドロキシアルキル基であり、Ｘ-は、アニオンであり、Ｒ１、Ｒ２及びＲ３残基の少なくとも１つが、少なくとも１つのカチオン性基を有するようにする、一般式（Ｉ）のカチオン性アゾアジン色素。
【請求項２】
３−（２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；３−｛２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ］エチル｝−１−メチル−１Ｈ−イミダゾール−３−イウムブロミド；３−（２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド；２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ｝−Ｎ，Ｎ，Ｎ−トリメチルエタンアミニウムブロミド；２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド；３−（２−｛エチル−４−［（Ｅ）−（４−｛（Ｅ）−［（１−メチルエチリデン）ヒドラゾノ］メチル｝フェニル）ジアゼニル］アニリノ｝エチル）−１−メチル−１Ｈ−イミダゾール−３−イウムブロミド；２−｛エチル−４−［（Ｅ）−（４−｛（Ｅ）−［（１−メチルエチリデン）ヒドラゾノ］メチル｝フェニル）ジアゼニル］アニリノ｝−Ｎ，Ｎ，Ｎ−トリメチルエタンアミニウムブロミド；３−｛２−［４−［（Ｅ）−（４−｛（Ｅ）−［（ジフェニルメチレン）ヒドラゾノ］メチル｝フェニル）ジアゼニル］（エチル）アニリノ］エチル｝−１−メチル−１Ｈ−イミダゾール−３−イウムメチルサルフェート；３−｛２−［４−（（Ｅ）−｛４−［（Ｅ）−（｛ビス−［４−（ジメチルアミノ）フェニル］メチレン｝ヒドラゾノ）メチル］フェニル｝ジアゼニル）（エチル）アニリノ］エチル｝−１−メチル−１Ｈ−イミダゾール−３−イウムブロミド；２−［４−（（Ｅ）−｛４−［（Ｅ）−（｛ビス−［４−（ジメチルアミノ）フェニル］メチレン｝ヒドラゾノ）メチル］フェニル｝ジアゼニル）（エチル）アニリノ］−Ｎ，Ｎ，Ｎ−トリメチルエタンアミニウムブロミド；３−｛２−［エチル−４−（（Ｅ）−｛４−［（Ｅ）−（９Ｈ−フルオレン−９−イリデンヒドラゾノ）メチル］フェニル｝ジアゼニル）アニリノ］エチル｝−１−メチル−１Ｈ−イミダゾール−３−イウム；２−［エチル−４−（（Ｅ）−｛４−［（Ｅ）−（９Ｈ−フルオレン−９−イリデンヒドラゾノ）メチル］フェニル｝ジアゼニル）アニリノ］−Ｎ，Ｎ，Ｎ−トリメチルエタンアミニウムブロミド；３−｛２−［４−｛（Ｅ）−［４−（（Ｅ）−｛［ビス−［４−ヒドロキシフェニル）メチレン］ヒドラゾノ｝メチル）フェニル］ジアゼニル｝（エチル）アニリノ］エチル｝−１−メチル−１Ｈ−イミダゾール−３−イウムブロミド；２−［４−｛（Ｅ）−［４−（（Ｅ）−｛［ビス−［４−（ヒドロキシフェニル）メチレン］ヒドラゾノ｝メチル）フェニル］ジアゼニル｝（エチル）アニリノ］−Ｎ，Ｎ，Ｎ−トリメチルエタンアミニウムブロミド；３−｛２−［４−｛（Ｅ）−［４−（（Ｅ）−｛［ビス−（４−ニトロフェニル）メチレン］ヒドラゾノ｝メチル）フェニル］ジアゼニル｝（エチル）アニリノ］エチル｝−１−メチル−１Ｈ−イミダゾール−３−イウムブロミド；２−［４−｛（Ｅ）−［４−（（Ｅ）−｛［ビス−（４−ニトロフェニル）メチレン］ヒドラゾノ｝メチル）フェニル］ジアゼニル｝（エチル）アニリノ］−Ｎ，Ｎ，Ｎ−トリメチルエタンアミニウムブロミド；４−［（Ｚ）−［（２Ｅ）−２−（４−｛（Ｅ）−［４−（ジメチルアミノ）フェニル］ジアゼニル｝ベンジリデン）ヒドラゾノ］（フェニル）メチル］−１−メチルピリジニウムメチルサルフェート；４−［（Ｚ）−（（２Ｅ）−２−｛４−［（Ｅ）−（４−メトキシフェニル）ジアゼニル］ベンジリデン｝ヒドラゾノ）（フェニル）メチル］−１−メチルピリジニウムメチルサルフェート；及び４−［（Ｚ）−［（２Ｅ）−２−（４−｛（Ｅ）−［４−（ジメチルアミノ）フェニル］ジアゼニル｝ベンジリデン）ヒドラゾノ］（４−ヒドロキシフェニル）メチル］−１−メチルピリジニウムメチルサルフェートから選択されることを特徴とする、請求項１に記載の式（Ｉ）のカチオン性アゾアジン色素。
【請求項３】
請求項１又は２に記載の一般式（Ｉ）のカチオン性アゾアジン色素を少なくとも１つ含有することを特徴とする、ケラチン繊維の非酸化性着色剤。
【請求項４】
少なくとも１つの、通例化粧品剤に使用する天然ポリマー、合成ポリマー、又は天然由来の変性ポリマーを含有し、トーンシーラー又は色強化剤の形態で存在することを特徴とする、請求項３に記載の剤。
【請求項５】
（ｉ）酸化剤、並びに、（ｉｉ）請求項１又は２に記載の一般式（Ｉ）の少なくとも１つのカチオン性アゾアジン色素を含有することを特徴とする、ケラチン繊維の同時光沢及び着色剤。
【請求項６】
前記酸化剤が、過酸化水素であることを特徴とする、請求項５に記載の剤。
【請求項７】
請求項１又は２に記載の一般式（Ｉ）のカチオン性アゾアジン色素を少なくとも１つ含有することを特徴とする、酸化染料前駆体を主成分としたケラチン繊維の酸化性着色剤。
【請求項８】
０．０１重量％〜１２重量％の酸化染料前駆体を少なくとも１つ含有することを特徴とする、請求項７に記載の剤。
【請求項９】
一般式（Ｉ）のカチオン性アゾアジン色素が、総量で０．０１重量％〜１０重量％含有されることを特徴とする、請求項３〜７の１つに記載の剤。
【請求項１０】
一般式（Ｉ）のカチオン性アゾアジン色素に加えて、ニトロ色素類、アゾ色素類、アントラキノン色素類、トリフェニルメタン色素類、及び、塩基性又は酸性色素類からなる群からの直接浸透色素を少なくとも１つ更に含有することを特徴とする、請求項３〜９の１つに記載の剤。
【請求項１１】
２〜１１のｐＨ値を有することを特徴とする、請求項３〜１０の１つに記載の剤。
【請求項１２】
毛髪染料であることを特徴とする、請求項３〜１１の１つに記載の剤。
【発明の詳細な説明】
【技術分野】
【０００１】
本発明は、新規カチオン性アゾアジン色素、並びに、繊維上、特にヒトの毛髪等のケラチン繊維上に使用されるこれら化合物を含有する着色剤に関する。
【背景技術】
【０００２】
繊維物質、特にケラチン含有繊維、例えば、毛髪、羊毛又は毛皮のための着色剤として、一般に、直接浸透色素又は１つ以上の顕色剤成分と１つ以上のカップラー成分との酸化性カップリングにより生成された酸化性染料が使用される。特別の着色効果を得るために、必要であれば酸化系による酸化に対して安定している直接浸透色素を加えることも可能である。直接浸透色素は、好適な媒介物に組み込まれ、そして次に繊維に適用される。一般に着色として既知のこのプロセスは、実施が容易で、非常に穏やかであり、アンモニア又は過酸化物を追加しない場合には、ケラチン繊維へのダメージが極めて少ないことを特徴とする。それにもかかわらず、ここで使用される色素は、いくつかの要件を満たさなければならない。それらは、毒物学上及び皮膚科学的観点から極めて安全でなければならず、所望の強度及び輝度を有する着色へ達成可能でなければならない。更に、得られる着色は、良好な耐光性、シャンプー及びコンディショナーへの耐性、並びに、良好な耐摩擦性を有していなければならない。
【発明の開示】
【発明が解決しようとする課題】
【０００３】
一般に、ケラチン繊維のための直接浸透、非酸化性着色剤は、ある種の着色を得るために、異なる非酸化性色素の組合せを要する。上述の要件を適切に満たすことができる一連の色素は、限定されているため、この種の色素を更に著しく必要とする。
【０００４】
本発明の目標は、ケラチン繊維、特にヒトの毛髪の着色のための、これらの要件を満たす直接浸透色素を提供することである。
【課題を解決するための手段】
【０００５】
意外にも、一般式（Ｉ）のカチオン性アゾアジン色素を、酸化剤の追加なしで着色準備もおいて直接浸透色素として使用することが可能であり、緩やかな条件下にてケラチン繊維に適用することが可能であることが明らかとなった。
これらの色素は、酸化剤と比較して安定であるため、増白着色剤、例えば過酸化物を含む酸化剤内にて使用することもできる。
【０００６】
従って、本発明の目的は、一般式（Ｉ）のカチオン性色素を開示することである。
【発明を実施するための最良の形態】
【０００７】
【化１】
2008517110.tif 000003
式中、
Ｒ１は、式（ＩＩ）、（ＩＩＩ）、（ＩＶ）、（Ｖ）及び（ＶＩ）の残基から選択され、
【０００８】
【化２】
2008517110.tif 000004
Ｒ２、Ｒ４及びＲ５は、同じか又は異なることができ、互いから独立して、式（ＶＩＩ）、（ＶＩＩＩ）及び（ＩＸ）の残基から選択され、
【０００９】
【化３】
2008517110.tif 000005
Ｒ３、Ｒ３’、Ｒ６、Ｒ６’、Ｒ７、Ｒ７’及びＲ８は、同じか又は異なることができ、互いから独立して、水素、Ｃ1〜Ｃ6−アルキルアミノ基、Ｃ1〜Ｃ6−Ｎ，Ｎ−ジアルキルアミノ基、Ｃ1〜Ｃ6−Ｎ，Ｎ−ジヒドロキシアルキルアミノ基、Ｃ1〜Ｃ6−Ｎ−ヒドロキシアルキル−Ｎ−アルキルアミノ基、Ｃ1〜Ｃ6−アルキルシアノ基、ニトロ基、シアノ基、アミノ基、ニトロソ基、ヒドロキシ基、メトキシメチル基、第三ブチル基、イソ−プロピル基、Ｃ1〜Ｃ6−アルキル基、Ｃ1〜Ｃ6−アルキルオキシ基、Ｃ1〜Ｃ6−ヒドロキシアルキル基、Ｃ1〜Ｃ6−アルキルカルボン酸基、Ｃ1〜Ｃ6−アルキルカルボン酸エステル基、Ｃ1〜Ｃ6−アルキルスルホン酸基、Ｃ1〜Ｃ6−アルキルスルホン酸エステル基、又は、−Ｎ−（Ｌ）−Ｂ+基であることができる。Ｌは、Ｃ1〜Ｃ6アルキレン基を表し、Ｂ+は、ａ）芳香族複素環式四級アンモニウム化合物、好ましくは、Ｎ−メチルイミダゾール、Ｎ−アリルイミダゾール、２−エチルイミダゾール又は１，２−ジメチルイミダゾール又はピリジン、４−ジメチルアミノピリジン、ピリミジン、ピラゾール、Ｎ−メチルピラゾール又はキノリンの四級化合物、又は、（ｂ）非芳香族複素環式四級アンモニウム化合物、特に、Ｎ―メチルモルホリン、Ｎ−エチルモルホリン、１−メチルピペリジンの四級化合物、又は（ｃ）四級アルキルアンモニウム化合物もしくは式ＮＲaＲbＲcのアリールアンモニウム化合物（式中、Ｒa、Ｒb及びＲcは、互いから独立して、ベンジル残基、フェニル残基もしくはＣ1〜Ｃ6−アルキル残基、特に、メチル残基、エチル残基、プロピル残基、イソプロピル残基もしくはブチル残基を示すことができ、ここで、上述したアルキル基は、１つ以上のヒドロキシ基もしくはアミノ基によって置換されていてもいなくてもよく、又は、（ｄ）四級ホスホニウム基、例えば、トリブチルホスホニウム基、及び特にトリメチルアンモニウム基又はトリエチルアンモニウム基を表し、Ｒ９は、分岐鎖もしくは直鎖のＣ1〜Ｃ6−アルキル基、分岐鎖もしくは直鎖のＣ2〜Ｃ4−ヒドロキシアルキル基又は分岐鎖もしくは直鎖のＣ4〜Ｃ6−ポリヒドロキシアルキル基であり、、及びＸ-は、アニオン例えば、サルフェートアニオン、ホスフェートアニオン、リン酸水素アニオン、オキザラートアニオン、ホルメートアニオン、アセテートアニオン、シトレートアニオン、タルトラートアニオン、マロネートアニオン、ピルベートアニオン又はヨウ化物アニオン、であり、ここで、塩化物イオン、ブロミドイオン及びメチルサルフェートアニオンが、特に好ましく、、ここで、Ｒ１、Ｒ２及びＲ３残基の少なくとも１つが、少なくとも１つのカチオン性基を有する。
【００１０】
一般式（Ｉ）の好適なカチオン性直接浸透色素の例は、次の名前のものが挙げられる：
【００１１】
【化４】
2008517110.tif 000006
【００１２】
３−（２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；
【００１３】
【化５】
2008517110.tif 000007
【００１４】
３−｛２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ］エチル｝−１−メチル−１Ｈ−イミダゾール−３−イウムブロミド；
【００１５】
【化６】
2008517110.tif 000008
【００１６】
３−（２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；
【００１７】
【化７】
2008517110.tif 000009
【００１８】
２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド：
【００１９】
【化８】
2008517110.tif 000010
【００２０】
２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ｝−Ｎ，Ｎ，Ｎ−トリメチルエタンアミニウムブロミド：
【００２１】
【化９】
2008517110.tif 000011
【００２２】
２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド：
【００２３】
【化１０】
2008517110.tif 000012
【００２４】
３−（２−｛エチル−４−［（Ｅ）−（４−｛（Ｅ）−［（１−メチルエチリデン）ヒドラゾノ］メチル｝フェニル）ジアゼニル］アニリノ｝エチル）−１−メチル−１Ｈ−イミダゾール−３−イウムブロミド；
【００２５】
【化１１】
2008517110.tif 000013
【００２６】
２−｛エチル−４−［（Ｅ）−（４−｛（Ｅ）−［（１−メチルエチリデン）ヒドラゾノ］メチル｝フェニル）ジアゼニル］アニリノ｝−Ｎ，Ｎ，Ｎ−トリメチルエタンアミニウムブロミド：
【００２７】
【化１２】
2008517110.tif 000014
【００２８】
３−｛２−［４−［（Ｅ）−（４−｛（Ｅ）−［（ジフェニルメチレン）ヒドラゾノ］メチル｝フェニル）ジアゼニル］（エチル）アニリノ］エチル｝−１−メチル−１Ｈ−イミダゾール−３−イウムブロミド；
【００２９】
【化１３】
2008517110.tif 000015
【００３０】
３−｛２−［４−（（Ｅ）−｛４−［（Ｅ）−（｛ビス−［４−（ジメチルアミノ）フェニル］メチレン｝ヒドラゾノ）メチル］フェニル｝ジアゼニル）（エチル）アニリノ］エチル｝−１−メチル−１Ｈ−イミダゾール−３−イウムブロミド；
【００３１】
【化１４】
2008517110.tif 000016
【００３２】
２−［４−（（Ｅ）−｛４−［（Ｅ）−（｛ビス−［４−（ジメチルアミノ）フェニル］メチレン｝ヒドラゾノ）メチル］フェニル｝ジアゼニル）（エチル）アニリノ］−Ｎ，Ｎ，Ｎ−トリメチルエタンアミニウムブロミド；
【００３３】
【化１５】
2008517110.tif 000017
【００３４】
３−｛２−［エチル−４−（（Ｅ）−｛４−［（Ｅ）−（９Ｈ−フルオレン−９−イリデンヒドラゾノ）メチル］フェニル｝ジアゼニル）アニリノ］エチル｝−１−メチル−１Ｈ−イミダゾール−３−イウムブロミド；
【００３５】
【化１６】
2008517110.tif 000018
【００３６】
２−［エチル−４−（（Ｅ）−｛４−［（Ｅ）−（９Ｈ−フルオレン−９−イリデンヒドラゾノ）メチル］フェニル｝ジアゼニル）アニリノ］−Ｎ，Ｎ，Ｎ−トリメチルエタンアミニウムブロミド；
【００３７】
【化１７】
2008517110.tif 000019
【００３８】
３−｛２−［４−｛（Ｅ）−［４−（（Ｅ）−｛［ビス−（４−ヒドロキシフェニル）メメチレン］ヒドラゾノ｝メチル）フェニル］ジアゼニル｝（エチル）アニリノ］エチル｝−１−メチル−１Ｈ−イミダゾール−３−イウムブロミド；
【００３９】
【化１８】
2008517110.tif 000020
【００４０】
２−［４−｛（Ｅ）−［４−（（Ｅ）−｛［ビス−［４−（ヒドロキシフェニル）メチレン］ヒドラゾノ｝メチル）フェニル］ジアゼニル｝（エチル）アニリノ］−Ｎ，Ｎ，Ｎ−トリメチルエタンアミニウムブロミド；
【００４１】
【化１９】
2008517110.tif 000021
【００４２】
３−｛２−［４−｛（Ｅ）−［４−（（Ｅ）−｛［ビス−（４−ニトロフェニル）メチレン］ヒドラゾノ｝メチル）フェニル］ジアゼニル｝（エチル）アニリノ］エチル｝−１−メチル−１Ｈ−イミダゾール−３−イウムブロミド；
【００４３】
【化２０】
2008517110.tif 000022
【００４４】
２−［４−｛（Ｅ）−［４−（（Ｅ）−｛［ビス−（４−ニトロフェニル）メチレン］ヒドラゾノ｝メチル）フェニル］ジアゼニル｝（エチル）アニリノ］−Ｎ，Ｎ，Ｎ−トリメチルエタンアミニウムブロミド；
【００４５】
【化２１】
2008517110.tif 000023
【００４６】
４−［（Ｚ）−［（２Ｅ）−２−（４−｛（Ｅ）−［４−（ジメチルアミノ）フェニル］ジアゼニル｝ベンジリデン）ヒドラゾノ］（フェニル）メチル］−１−メチルピリジニウムメチルサルフェート；
【００４７】
【化２２】
2008517110.tif 000024
【００４８】
４−［（Ｚ）−（（２Ｅ）−２−｛４−［（Ｅ）−（４−メトキシフェニル）ジアゼニル］ベンジリデン｝ヒドラゾノ）（フェニル）メチル］−１−メチルピリジニウムメチルサルフェート；及び
【００４９】
【化２３】
2008517110.tif 000025
【００５０】
４−［（Ｚ）−［（２Ｅ）−２−（４−｛（Ｅ）−［４−（ジメチルアミノ）フェニル］ジアゼニル｝ベンジリデン）ヒドラゾノ］（４−ヒドロキシフェニル）メチル］−１−メチルピリジニウムメチルサルフェート。
【００５１】
一般式（Ｉ）の好ましい化合物は、３−（２−｛エチル−４−［（Ｅ）−（４−｛（Ｅ
）−［（２Ｚ）−２−（３−メチル−１，３−ベンゾチアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；３−｛２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ］エチル｝−１−メチル−１Ｈ−イミダゾール−３−イウムブロミド；３−（２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝エチル）−１−メチル−１Ｈ−イミダゾール−３−イウムブロミド；２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド；２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ｝−Ｎ，Ｎ，Ｎ−トリメチルエタンアミニウムブロミド；２−｛エチル−４−［（Ｅ）−（４−｛（Ｅ）−［（２Ｚ）−２−（３，４，５−トリメチル−１，３−チアゾール−２（３Ｈ）−イリデン）ヒドラゾノ］メチル｝フェニル）ジアゼニル］アニリノ｝−Ｎ，Ｎ，Ｎ−トリメチルエタンアミニウムブロミド；３−｛２−［４−（（Ｅ）−｛４−［（Ｅ）−（｛ビス−［４−（ジメチルアミノ）フェニル］メチレン｝ヒドラゾノ）メチル］フェニル｝ジアゼニル）（エチル）アニリノ］エチル｝−１−メチル−１Ｈ−イミダゾール−３−イウムブロミド及び３−｛２−［エチル−４−（（Ｅ）−｛４−［（Ｅ）−（９Ｈ−フルオレン−９−イリデンヒドラゾノ）メチル］フェニル｝ジアゼニル）アニリノ］エチル｝−１−メチル−１Ｈ−イミダゾール−３−イウムブロミドである。
【００５２】
一般式（Ｉ）の本発明の色素誘導体は、市販品又は容易に調製される構成成分から、標
準作業によって入手可能である。
【００５３】
Ｙ．モリ（Y. Mori）による一般手順（化学薬理学雑誌（Chem. Pharm. Bull.）（１９８１年刊、第２９（５）巻、１４３９〜１４４２頁）を使用して、ホルミル置換基をパラ位に持つアゾ染料を調製できる。これらのアゾ染料を、各種ヒドラゾン構成成分と酢酸媒体中で縮合すると、対応するアゾアジン色素を良好な収率で提供する。代表的な合成経路をダイアグラム１に示す。
【００５４】
ダイアグラム１：
【００５５】
【化２４】
2008517110.tif 000026
【００５６】
極性疎プロトン溶媒（例えば、アセトニトリル）中にて、Ｎ−求核性試薬（例えば、Ｎ−Ｎ−メチルイミダゾール）にて好適な脱離基を置換することにより、最終工程にてカチオン性色素が得られる（ダイアグラム２）。
【００５７】
ダイアグラム２：
【００５８】
【化２５】
2008517110.tif 000027
【００５９】
一般式（Ｉ）の本発明のカチオン性アゾアジン色素は、繊維物質、特にヒトの毛髪の均一な着色を、光や汗に対する良好な安定性、特にシャンプーに対する良好な安定性と共に、可能にする。一般式（Ｉ）の本発明の化合物は、ケラチン繊維、特にヒトの毛髪、しかしそれだけでなく更に羊毛、毛皮又は他の繊維物質に対しても、緩やかな条件下における強度で鮮やかな着色を行う。
【００６０】
従って、本発明は、更に、
（ａ）例えば、毛髪などのケラチン繊維のための非酸化性着色剤、
（ｂ）ケラチン繊維の同時増白及び着色剤（酸化剤を含有する一般式（Ｉ）の色素に加えて）、及び
（ｃ）少なくとも１つの酸化性色素前駆体を主体とするケラチン繊維の酸化性着色剤、に関するものである。
【００６１】
この際、剤（ａ）、（ｂ）及び（ｃ）は、それらが一般式（Ｉ）の少なくとも１つのカチオン性アゾアジン色素を含有するという事実を特徴とする。
【００６２】
本発明の着色剤は、一般式（Ｉ）のカチオン性アゾアジン色素を、好ましくは、０．０１重量％〜１０重量％、特に０．１重量％〜８重量％の量で含有する。
【００６３】
一般式（Ｉ）の色素に加えて、本発明の着色剤（ａ）は、ニトロ色素、アゾ色素、アントラキノン色素、トリフェニルメタン色素及び塩基性又は酸性色素を、単独で又は互いに混合物にて、例えば、１，４−ビス−［（２−ヒドロキシエチル）アミノ］−２−ニトロベンゼン、１−（２−ヒドロキシエチル）アミノ−２−ニトロ−４−［ジ−（２−ヒドロキシエチル）アミノ］ベンゼン、（ＨＣブルー２号）、１−アミノ−３−メチル−４−［（２−ヒドロキシエチル）アミノ］−６−ニトロベンゼン、（ＨＣバイオレット１号）、４−［エチル−（２−ヒドロキシエチル）アミノ］−１−［（２−ヒドロキシエチル）アミノ］−２−ニトロベンゼン塩酸塩（ＨＣブルー１２号）、１−［（２，３−ジヒドロキシプロピル）アミノ］−４−［メチル−（２−ヒドロキシエチル）アミノ］−２−ニトロベンゼン（ＨＣブルー１０号）、１−［（２，３−ジヒドロキシプロピル）アミノ］−４−［エチル−（２−ヒドロキシエチル）アミノ］−２−ニトロベンゼン塩酸塩（ＨＣブルー９号）、１−（３−ヒドロキシプロピルアミノ）−４−［ジ−（２−ヒドロキシエチル）アミノ］−２−ニトロベンゼン、（ＨＣバイオレット２号）；１−アミノ−４−［（２−ヒドロキシエチル）アミノ］−２−ニトロベンゼン（ＨＣブルー７号）、２−アミノ−４，６−ジニトロフェノール、１，４−ジアミノ−２−ニトロベンゼン（ＣＩ７６０７０）、４−アミノ−２−ニトロジフェニルアミン（ＨＣレッド１号）、１−アミノ−４−［ジ−（２−ヒドロキシエチル）アミノ］−２−ニトロベンゼン塩酸塩（ＨＣレッド１３号）、１−アミノ−５−クロロ−４−［（２−ヒドロキシエチル）アミノ］−２−ニトロベンゼン、４−アミノ−１−［（２−ヒドロキシエチル）アミノ］−２−ニトロベンゼン（ＨＣレッド３号）、４−アミノ−２−ニトロ−１−（（プロプ−２−エン−１−イル）アミノ）ベンゼン、４−アミノ−３−ニトロフェノール、４−［（２−ヒドロキシエチル）アミノ］−３−ニトロフェノール、４−［（２−ニトロフェニル）アミノ］フェノール（ＨＣオレンジ１号）、１−［（２−アミノエチル）アミノ］−４−（２−ヒドロキシエトキシ）−２−ニトロベンゼン（ＨＣオレンジ２号）、４−（２，３−ジヒドロキシプロポキシ）−１−［（２−ヒドロキシエチル）アミノ］−２−ニトロベンゼン、（ＨＣオレンジ３号）、１−アミノ−５−クロロ−４−［（２，３−ジヒドロキシプロピル）アミノ］−２−ニトロベンゼン（ＨＣレッド１０号）、５−クロロ−１，４−［ジ−（２，３−ジヒドロキシプロピル）アミノ］−２−ニトロベンゼン（ＨＣレッド１１号）、２−［（２−ヒドロキシエチル）アミノ］−４，６−ジニトロフェノール、４−エチルアミノ−３−ニトロ安息香酸、２−［（４−アミノ−２−ニトロフェニル）アミノ］安息香酸、２−クロロ−６−エチルアミノ−４−ニトロフェノール、２−アミノ−６−クロロ−４−ニトロフェノール、４−［（３−ヒドロキシプロピル）アミノ］−３−ニトロフェノール、２，５−ジアミノ−６−ニトロピリジン、３−アミノ−６−（メチルアミノ）−２−ニトロピリジン、１，２，３，４−テトラヒドロ−６−ニトロキノキサリン、７−アミノ−３，４−ジヒドロ−６−ニトロ−２Ｈ−１，４−ベンゾキサジン（ＨＣレッド１４号）、１，２−ジアミノ−４−ニトロベンゼン（ＣＩ７６０２０）、１−アミノ−２−［（２−ヒドロキシエチル）アミノ］−５−ニトロベンゼン（ＨＣイエロー５号）、１−（２−ヒドロキシエトキシ）−２−［（２−ヒドロキシエチル）アミノ］−５−ニトロベンゼン、（ＨＣイエロー４号）、１−［（２−ヒドロキシエチル）アミノ］−２−ニトロベンゼン（ＨＣイエロー２号）、２−［（２−ヒドロキシエチル）アミノ］−１−メトキシ−５−ニトロベンゼン、２−アミノ−３−ニトロフェノール、１−アミノ−２−メチル−６−ニトロベンゼン、１−（２−ヒドロキシエトキシ）−３−メチルアミノ−４−ニトロベンゼン、２，３−（ジヒドロキシプロポキシ）−３−メチルアミノ−４−ニトロベンゼン、２−［（２−ヒドロキシエチル）アミノ］−５−ニトロフェノール（ＨＣイエロー１１号）、３−［（２−アミノエチル）アミノ］−１−メトキシ−４−ニトロベンゼン塩酸塩（ＨＣイエロー９号）、１−［（２−ウレイドエチル）アミノ］−４−ニトロベンゼン、４−［（２，３−ジヒドロキシプロピル）アミノ］−３−ニトロ−１−トリフルオロメチルベンゼン、（ＨＣイエロー６号）、１−クロロ−２，４−ビス−［（２−ヒドロキシエチル）アミノ］−５−ニトロベンゼン（ＨＣイエロー１０号）、４−［（２−ヒドロキシエチル）アミノ］−３−ニトロ−１−メチルベンゼン、１−クロロ−４−［（２−ヒドロキシエチル）アミノ］−３−ニトロベンゼン（ＨＣイエロー１２号）、４−［（２−ヒドロキシエチル）アミノ］−３−ニトロ−１−トリフルオロメチルベンゼン（ＨＣイエロー１３号）、４−［（２−ヒドロキシエチル）アミノ］−３−ニトロベンゾニトリル（ＨＣイエロー１４号）、４−［（２−ヒドロキシエチル）アミノ］−３−ニトロベンズアミド（ＨＣイエロー１５号）、２，４−ジニトロ−１−ヒドロキシナフタレン、１，４−ジ−［（２，３−ジヒドロキシプロピル）アミノ］−９，１０−アントラキノン、１，４−ジ−［（２−ヒドロキシエチル）アミノ］−９，１０−アントラキノン（ＣＩ６１５４、ディスパースブルー２３）、１−アミノ−４−ヒドロキシ−９，１０−アントラキノン（ＣＩ６０７１０）、ディスパースレッド１５）、１−ヒドロキシ−４−［（４−メチル−２−スルホフェニル）アミノ］−９，１０−アントラキノン、７−ベータ−Ｄ−グルコピラノシル−９，１０−ジヒドロ−１−メチル−９，１０−ジオキソ−３，５，６，８−テトラヒドロキシ−２−アントラセンカルボン酸（ＣＩ７５４７０、ナチュラルレッド４）、１−［（３−アミノプロピル）アミノ］−９，１０−アントラキノン（ＨＣレッド８号）、１，４−ジアミノ−９，１０−アントラキノン（ＣＩ６１１００、ディスパースバイオレット１号）、１−アミノ−４−（メチルアミノ）−９，１０−アントラキノン（ＣＩ６１１０５、ディスパースバイオレット４号）、ソルベントバイオレット１２号）、Ｎ−（６−（（３−クロロ−４−（メチルアミノ）フェニル）イミノ）−４−メチル−３−オキソ−１，４−シクロヘキサジエン−１−イル）尿素（ＨＣレッド９号）、２−（（４−（ジ−（２−ヒドロキシエチル）アミノ）フェニル）アミノ）−５−（（２−ヒドロキシエチル）アミノ）−２，５−シクロヘキサジエン−１，４−ジオン（ＨＣグリーン１号），２−ヒドロキシ−１，４−ナフトキノン（ＣＩ７５４８０、ナチュラルオレンジ６号）、１，２−ジヒドロ−２−（１，３−ジヒドロ−３−オキソ−２Ｈ−インドール−２−イリデン）−３Ｈ−インドール−３−オン（ＣＩ７３０００）、１，３−ビス−（ジシアノメチリデン）インダン、ジ−［４−（ジエチルアミノ）フェニル］［４−（エチルアミノ）ナフチル］カルベニウムクロライド（ＣＩ４２５９５；ベーシックブルー７号）、ジ−［４−（ジメチルアミノ）フェニル］［４−（フェニルアミノ）ナフチル］カルベニウムクロライド（ＣＩ４４０４５；ベーシックブルー２６号）、ベーシックブルー７７号、８−アミノ−２−ブロモ−５−ヒドロキシ−４−イミノ−６−［（３−（トリメチルアンモニオ）フェニル）アミノ］−１（４Ｈ）ナフタレノンクロライド（ＣＩ５６０５９；ベーシックブルー９９号）、トリ−（４−アミノ−３−メチルフェニル）カルベニウムクロライド（ＣＩ４２５２０；べーシックバイオレット２号）、ジ−（４−アミノフェニル）（４−アミノ−３−メチルフェニル）カルベニウムクロライド（ＣＩ４２５１０；べーシックバイオレット１４号）、１−［（４−アミノフェニル）アゾ］−７−（トリメチルアンモニオ）−２−ナフトールクロライド（ＣＩ１２２２５０；ベーシックブラウン１６号）、３−［（４−アミノ−２，５−ジメトキシフェニル）アゾ］−Ｎ，Ｎ，Ｎ−トリメチルベンゾ−ルアミニウムクロライド（ＣＩ１１２６０５、ベーシックオレンジ６９号）、１−［（４−アミノ−２−ニトロフェニル）アゾ］−７−（トリメチルアンモニオ）−２−ナフトールクロライド（ベーシックブラウン１７号）、１−［（４−アミノ−３−ニトロフェニル）アゾ］−７−（トリメチルアンモニオ）−２−ナフトールクロライド（ＣＩ１２２５１；ベーシックブラウン１７号）、２−［（４−アミノフェニル）アゾ］−１，３−ジメチル−１Ｈ−イミダゾール−３−イウムクロライド（ベーシックオレンジ３１号）、３，７−ジアミノ−２，８−ジメチル−５−フェニルフェナジニウムクロライド（ＣＩ５０２４０；ベーシックレッド２号）、１，４−ジメチル−５−［（４−ジメチルアミノ）フェニル）アゾ］−１，２，４−トリアゾリウムクロライド（ＣＩ１１０５５；ベーシックレッド２２号）、１，３−ジメチル−２−（（４−ジメチルアミノ）フェニル）アゾ−１Ｈ−イミダゾール−３−イウムクロライド（ベーシックレッド５１号）、２−ヒドロキシ−１−［（２−メトキシフェニル）アゾ］−７−（トリメチルアンモニオ）ナフタレンクロライド（ＣＩ１２２４５；ベーシックレッド７６号）、３−メチル−１−フェニル−４−［（３−（トリメチルアンモニオ）フェニル）アゾ］ピラゾール−５−オンクロライド（ＣＩ１２７１９；ベーシックイエロー５７号）、１−メチル−４−（（メチルフェニルヒドラゾノ）メチル）ピリジニウムメチルサルフェート（ベーシックイエロー８７号）、１−（２−モルホリニウムプロピルアミノ）−４−ヒドロキシ−９，１０−アントラキノンメチルサルフェート、１−［（３−（ジメチルプロピルアミニウム）プロピル）アミノ］−４−（メチルアミノ）−９，１０−アントラキノンクロライド、１−［ジ−（２−ヒドロキシエチル）アミノ］−３−メチル−４−［（４−ニトロフェニル）アゾ］ベンゼン（ＣＩ１１２１０、ディスパースレッド１７号）、１−［ジ−（２−ヒドロキシエチル）アミノ］−４−［（４−ニトロフェニル）アゾ］ベンゼン、（ディスパースブラック９号）、４−［（４−アミノフェニル）アゾ］−１−［ジ−（２−ヒドロキシエチル）アミノ］−３−メチルベンゼン（ＨＣイエロー７号）、又は、２，６−ジアミノ−３−［（ピリジン−３−イル）アゾ］ピリジン及び２−（（４−（エチル−（２−ヒドロキシエチル）アミノ）−２−メチルフェニル）アゾ）−５−ニトロ−１，３−チアゾール（ＣＩ１１１９３５；ディスパースブルー１０６号）などを含む群からの公知の直接浸透色素を更に含有することもできる。
【００６４】
一般式（Ｉ）の色素類に加えて、酸化剤、好ましくは、過酸化水素の量を特徴とする本発明の着色剤（ｂ）は、追加的に更に、酸化に対して安定している直接浸透色素例えば、３−（２’，６’−ジアミノピリジル−３’−アゾ）−ピリジン（＝２，６−ジアミノ−３−（（ピリジン−３−イル）アゾ）ピリジン、２−（（４−（エチル−（２−ヒドロキシエチル）アミノ−２−メチルフェニル）アゾ−５−ニトロ−１，３−チアゾール（ディスパースブルー１０６号）。Ｎ，Ｎ−ジ（２−ヒドロキシエチル）−３−メチル−４−（（４−ニトロフェニル）アゾ）−アニリン（ディスパースレッド１７号）、ＣＩ１１２１０）、３−ジエチルアミノ−７−（４−ジメチルアミノフェニルアゾ）−５−フェニル−フェナジニウムクロライド（ＣＩ１１０５０）、４−（２−チアゾリルアゾ）−レゾルシノール、４−（（（４−フェニルアミノ）アゾ）ベンゼンスルホン酸ナトリウム塩（ＩＶ）、１−（（３−アミノプロピル）アミノ］−９，１０−アントラセンディオン（ＨＣレッド８号）、３’，３’’，４，５，５’，５’’，６，７−オクタブロモフェノール−スルホンフタレイン（テトラブロモフェノールブルー）、１−（（４−アミノ−３，５−ジメチルフェニル）−（２，６−ジクロロフェニル）−メチレン）−３，５−ジメチル−４−イミノ−２，５−シクロヘキサジエン−リン酸（１：１）（ベーシックブルー７７号）、３’，３’’，５’，５’’−イエトラブロモ（yetrabromo）−ｍ−クレゾールスルホンフタレイン、２，４−ジニトロ−１−ナフトール−７−スルホン酸−二ナトリウム塩（アシッドイエロー１、ＣＩ１０３１６）、４−［２’−ヒドロキシ−１’−ナフチル）アゾ｝−ベンゼンスルホン酸ナトリウム塩（アシッドオレンジ７、ＣＩ１５５１０）、３’，６’−ジヒドロキシ−２’，４’，５’，７’−テトラヨードスピロ−［イソベンゾフラン−１（３Ｈ），９’（９Ｈ）−キサンテン］−３−オン−二ナトリウム塩（アシッドレッド５１号）、ＣＩ４５４３０）、６−ヒドロキシ−５−（（２−メトキシ−５−メチル−４−スルホフェニル）アゾ）−２−ナフタレンスルホン酸二ナトリウム塩（ＦＤ＆Ｃレッド４０号、ＣＩ１６０３５）、２，４−ジニトロ−１−ナフトール−ナトリウム塩（アシッドイエロー２４号；ＣＩ１０３１５）、２’，４’，５’，７’−テトラブロモ−４，５，６，７−テトラクロロ−３’，６’−ジヒドロキシ−スピロ（イソブレンゾフラン−１（３Ｈ），９’［９Ｈ］−キサンテン−３−オン−二ナトリウム塩（アシッドレッド９２号；ＣＩ４５４１０）、４−（２−ヒドロキシ−１−ナフチルアゾ）−３−メチル−ベンゼンスルホン酸ナトリウム塩（アシッドオレンジ８号、ＣＩ１５５７５）、２−アミノ−１，４−ナフタレンジオン、ジチゾン（１，５−ジフェニルチオカルバゾン）、Ｎ−（２−ヒドロキシエチル））−２−ニトロ−４−トリフルオロメチル）アニリン（ＨＣイエロー１３号）、Ｎ−（２−ヒドロキシエチル）−４−ニトロ−アニリン及び４−クロロ−Ｎ−（２，３−ジヒドロキシプロピル）−２−ニトロ−アニリン、などを含有していてもよい。
【００６５】
上述した直接浸透色素は、約０．０１重量％〜４重量％の総量で含有されることができ、この際、本発明の（of the present colorant）着色剤の全含有量は、好ましくは、約０．０１重量％〜１０重量％、特に０．１重量％〜５重量％である。
【００６６】
一般式（Ｉ）の色素に加えて、本発明の酸化性着色剤（ｃ）（その使用前に、酸化剤（特に、過酸化水素又はその追加化合物）と共に混合される）は、追加の酸化染料前駆体を含有する。好適な酸化染料前駆体の例として、次の顕色剤物質及びカップラー物質並びに自己カップリング化合物を挙げることができる：
（ｉ）顕色剤物質（単独で又は互いとの混合物にて）：１，４−ジアミノベンゼン（ｐ−フェニレンジアミン）、１，４−ジアミノ−２−メチル−ベンゼン（ｐ−トルイレンジアミン）、１，４−ジアミノ−２，６−ジメチルベンゼン、１，４−ジアミノ−３，５−ジエチルベンゼン、１，４−ジアミノ−２，５−ジメチルベンゼン、１，４−ジアミノ−２，３−ジメチルベンゼン、２−クロロ−１，４−ジアミノベンゼン；１，４−ジアミノ−２−（チオフェン−２−イル）ベンゼン、１，４−ジアミノ−２−（チオフェン−３−イル）ベンゼン、１，４−ジアミノ−２−（ピリジン−３−イル）ベンゼン、２，５−ジアミノ−ビフェニル、１，４−ジアミノ−２−メトキシメチル−ベンゼン、１，４−ジアミノ−２−アミノメチル−ベンゼン、１，４−ジアミノ−２−ヒドロキシメチル−ベンゼン、１，４−ジアミノ−２−（２−ヒドロキシエトキシ）ベンゼン、２−（２−（アセチルアミノ）エトキシ）−１，４−ジアミノベンゼン、４−フェニルアミノアニリン、４−ジメチルアミノアニリン、４−ジエチルアミノアニリン、４−ジプロピルアミノアニリン、４−［エチル（２−ヒドロキシエチル）アミノ］アニリン、４−［ジ（２−ヒドロキシエチル）アミノ］アニリン、４−［ジ（２−ヒドロキシエチル）アミノ］−２−メチルアニリン、４［（２−メトキシエチル）アミノ］アニリン、４−［（３−ヒドロキシプロピル）アミノ］アニリン、４−［（２，３−ジヒドロキシプロピル）アミノ］アニリン、１，４−ジアミノ−２−（２−ヒドロキシエチル）ベンゼン、１，４−ジアミノ−２−（１−メチルエチル）ベンゼン、１，３−ビス［（４−アミノフェニル）（２−ヒドロキシエチル）アミノ］−２−プロパノール、１，４−ビス［（４−アミノフェニル）アミノ］ブタン、１，８−ビス（２，５−ジアミノフェノキシ）−３，６−ジクサオクタン、４−アミノフェノール、４−アミノ−３−メチルフェノール、４−アミノ−３−（ヒドロキシメチル）フェノール、４−アミノ−３−フルオロフェノール、４−メチルアミノフェノール、４−アミノ−２−（アミノメチル）フェノール、４−アミノ−２−（ヒドロキシメチル）フェノール、４−アミノ−２−フルオロフェノール、４−アミノ−２−［（２−ヒドロキシエチル）アミノ］メチルフェノール、４−アミノ−２−メチルフェノール、４−アミノ−２−（メトキシメチル）フェノール、４−アミノ−２−（２−ヒドロキシエチル）フェノール、５−アミノサリチル酸、２，５−ジアミノピリジン、２，４，５，６−テトラアミノ−ピリミジン、２，５，６−トリアミノ−４−（１Ｈ）−ピリミドン、４，５−ジアミノ−１−（２−ヒドロキシエチル）−１Ｈ−ピラゾール、４，５−ジアミノ−１−（１−メチルエチル）−１Ｈ−ピラゾール、４，５−ジアミノ−１−［（４−メチルフェニル）メチル］−１Ｈ−ピラゾール、１−［（４−クロロフェニル）メチル］−４，５−ジアミノ−１Ｈ−ピラゾール、４，５−ジアミノ−１−メチル−１Ｈ−ピラゾール、２−アミノフェノール、２−アミノ−６−メチルフェノール、２−アミノ−５−メチルフェノール。
【００６７】
（ｉｉ）カップラー物質（単独で又は互いとの混合物にて）：Ｎ−（３−ジメチルアミノフェニル）尿素、２，６−ジアミノピリジン、２−アミノ−４−［（２−ヒドロキシエチル）アミノ］アニソール、２，４−ジアミノ−１−フルオロ−５−メチルベンゼン、２，４−ジアミノ−１−メトキシ−５−メチルベンゼン、２，４−ジアミノ−１−エトキシ−５−メチルベンゼン、２，４−ジアミノ−１−（２−ヒドロキシエトキシ）−５−メチルベンゼン、２，４−ジ［（２−ヒドロキシエチル）アミノ］−１，５−ジメトキシベンゼン、２，３−ジアミノ−６−メトキシピリジン、３−アミノ−６−メトキシ−２−（メチルアミノ）ピリジン、２，６−ジアミノ−３，５−ジメトキシピリジン、３，５−ジアミノ−２，６−ジメトキシピリジン、１，３−ジアミノベンゼン、２，４−ジアミノ−１−（２−ヒドロキシエトキシ）ベンゼン、１，３−ジアミノ−４−（２，３−ジヒドロキシプロポキシ）ベンゼン、２，４−ジアミノ−１，５−ジ（２−ヒドロキシエトキシ）ベンゼン、１−（２−アミノエトキシ）−２，４−ジアミノベンゼン、２−アミノ−１−（２−ヒドロキシエトキシ）−４−メチルアミノベンゼン、２，４−ジアミノフェノキシ−酢酸、３−［（ジ（２−ヒドロキシエチル）アミノ］アニリン、４−アミノ−２−ジ［（３−ヒドロキシエチル）アミノ］−１−エトキシ−ベンゼン、５−メチル−２−（１−メチルエチル）フェノール、３−［（２−ヒドロキシエチル−アミノ］アニリン、３−［（２−アミノエチル）アミノ］アニリン、１，３−ジ（２，４−ジアミノフェノキシ）プロパン、ジ（２，４−ジアミノ−フェノキシ）メタン、１，３−ジアミノ−２,４−ジメトキシベンゼン、２,６−ビス（２−ヒドロキシエチル）アミノ−トルオール、４−ヒドロキシインドール、３−ジメチルアミノフェノール、３−ジエチルアミノフェノール、５−アミノ−２−メチルフェノール、５−アミノ−４−フルオロ−２−メチルフェノール、５−アミノ−４−メトキシ−２−メチルフェノール、５−アミノ−４−フルオロ−２−メチルフェノール、５−アミノ−４−メトキシ−２−メチルフェノール、５−アミノ−４−エトキシ−２−メチルフェノール、３−アミノ−２，４−ジクロロフェノール、５−アミノ−２，４−ジクロロフェノール、３−アミノ−２−メチルフェノール、３−アミノ−２−クロロ−６−メチルフェノール、３−アミノフェノール、２−［（３−ヒドロキシフェニル）アミノ］アセトアミド、５−［（２−ヒドロキシエチル）アミノ］−４−メトキシ−２−メチルフェノール、５−（２−ヒドロキシエチル）アミノ］−２−メチルフェノール、３−［（２−ヒドロキシエチル）アミノ］フェノール、３−［（２−メトキシエチル）アミノ］フェノール、５−アミノ−２−エチルフェノール、５−アミノ−２−メトキシフェノール、２−（４−アミノ−２−ヒドロキシフェノキシ）エタノール、５−［（３−ヒドロキシプロピル）アミノ］−２−メチルフェノール、３−［（２,３−ジヒドロキシプロピル）アミノ］−２−メチルフェノール、３−［（２−ヒドロキシエチル）アミノ］−２−メチルフェノール；２−アミノ−３−ヒドロキシピリジン、５−アミノ−４−クロロ−２−メチルフェノール、１−ナフトール、２−メチル−１−ナフトール、１，５−ジヒドロキシナフタレン、１，７−ジヒドロキシナフタレン、２,３−ジヒドロキシナフタレン、２,７−ジヒドロキシナフタレン、２−メチル−１−ナフトールアセテート、１,３−ジヒドロキシベンゼン、１−ジクロロ−２，４−ジヒドロキシベンゼン、２−クロロ−１，３−ジヒドロキシベンゼン、１，２−ジクロロ−３，５−ジヒドロキシ−４−メチルベンゼン、１，５−ジクロロ−２，４−ジヒドロキシベンゼン、１，３−ジヒドロキシ−２−メチルベンゼン、３，４−メチレンジオキシフェノール、３，４−メチレンジオキシアニリン、５−［（２−ヒドロキシエチル）アミノ］−１，３−ベンゾジオキソール、６−ブロモ−１−ヒドロキシ−３，４−メチレンジオキシベンゼン、３，４−ジアミノ安息香酸、３，４−ジヒドロ−６−ヒドロキシ−１，４（２Ｈ）−ベンゾキサジン、６−アミノ−３，４−ジヒドロ−１，４（２Ｈ）−ベンゾキサジン、３−メチル−１−フェニル−５−ピラゾロン、５，６−ジヒドロキシインドール、５，６−ジヒドロキシインドール、５−ヒドロキシインドール、６−ヒドロキシインドール、７−ヒドロキシインドール、２，３−インドリンジオン。
【００６８】
（ｉｉｉ）自己カップリング化合物：２−アミノ−５−メチルフェノール、２−アミノ−６−メチルフェノール、２−アミノ−５−エトキシフェノール又は２−プロピルアミノ−５−アミノピリジン。
【００６９】
酸化染料前駆体の総量は、本発明の着色剤（ｃ）中に、約０．０１重量％〜１２重量％、特に約０．２重量％〜６重量％で含まれる。
【００７０】
本発明の着色剤（ａ）、（ｂ）又は（ｃ）は、その調製方法が公知且つ慣用的である任意の添加物、例えば、香料油、キレート剤、ワックス、防腐剤、増粘剤、アルギン酸塩類、グアーガム、ヘアコンディショニング物質、例えば、カチオン性ポリマー類又はラノリン誘導体等、又は、アニオン性、非イオン性、両性又はカチオン性界面活性物質を含むことができる。両性又は非イオン性界面活性物質の利用が、好ましい。例えば、ベタイン界面活性剤、プロピオネート（propoinates）及びグリシネート、例えば、ココアンホグリシネート又はココアンホジグリシネート等、エトキシル化界面活性剤で、１〜１０００のエチレンオキシド単位を有するもの、好ましくは、１〜３００のエチレンオキシド単位を有するもの、例えば、グリセリドアルコキシレート類で、例えば、２５のエチレンオキシド単位を有するもの、エトキシル化ヒマシ油、ポリグリコールアミド、エトキシル化アルコール類及びエトキシル化脂肪族アルコール類（脂肪族アルコールアルコキシレート類）及びエトキシル化脂肪酸糖エステル類、特にエトキシル化ソルビタン脂肪酸エステル。上述した構成成分が、そのような目的のために慣用的な量で使用される。例えば、界面活性物質が、０．１重量％〜３０重量％の濃度で使用され、コンディショニング剤は、０．１重量％〜５重量％の量で使用される。
【００７１】
本発明の着色剤は、特に毛髪染料として使用される場合には、水又は水性アルコール溶液、クリーム、ジェル、エマルション及びエアゾールフォームの形態にて使用することができ、ここで、前記毛髪染料は、単一成分調製物の形態及び複数構成成分調製物の形態、例えば、２構成成分調整物の形態のいずれかの形態であることができ、この際、一般式（Ｉ）の各色素誘導体は、他の構成成分から分離して梱包され、すぐに使用できる毛髪染料は、使用直前に２つの構成成分を一緒に混合して調製される。
【００７２】
本発明の着色剤（ａ）、（ｂ）及び（ｃ）は、約２〜１０、好ましくは約５〜１０、特に中性からアルカリ性のｐＨ値である約７〜１０のｐＨを有する。有機或いは無機の酸類又は塩基類が、本発明のｐＨ値の調整に用いるのに好適である。
【００７３】
次に挙げるものが、好適な酸類である：α−ヒドロキシカルボン酸、例えば、グリコール酸、乳酸、酒石酸、クエン酸又はリンゴ酸、アスコルビン酸、グルコン酸ラクトン、酢酸、塩酸又はリン酸、並びにこれら酸類の混合物。好適な塩基類としては、特に炭酸ナトリウム、重炭酸ナトリウム、アルカノールアミン、例えば、モノエタノールアミン又はトリエタノールアミン、アンモニア、アミノメチルプロパノール及び水酸化ナトリウムが挙げられる。
【００７４】
本発明の着色剤を使用する際には、毛髪を着色するのに十分な量を取るのが通常であり、これは毛髪の長さによって、３０〜１２０グラムであり、及びこの毛髪染料を毛髪に適用し、次に、前記毛髪着色剤を約１５〜４５℃で、約１〜６０分、好ましくは５〜３０分、反応させ、毛髪を次に十分水ですすぎ、必要であればシャンプーで洗浄し、そして最終的に乾燥させる。
【００７５】
酸化剤を、前記着色調製物に加えない場合には、上記の着色剤は、一般の天然又は合成ポリマー類並びに化粧品剤に使用される自然源から得られる変性ポリマー類を更に含むことができ、ここで、それらは毛髪乾燥と同時に、毛髪のシーリングを行うことができる。このような試剤は、一般にトーンシーラー又は色強化剤と呼ばれる。
【００７６】
化粧品用途で使用可能なこの種の既知の合成ポリマー類としては、例えば、ポリビニルピロリドン、ポリビニルアセテート、ポリビニルアルコール又はポリアクリル酸化合物例えば、ポリアクリル酸又はポリメタクリレート、ポリアクリル酸又はポリメチルアクリレートのエステル類とアミノアルコール類との塩基性重合体、例えば、それらの塩類又は四級化生成物、ポリアクリロニトリル、ポリビニルアセテート、並びにこのような化合物類の共重合体、例えば、ポリビニルピロリドン−ビニルアセテート等；一方、天然ポリマー類又は変性天然ポリマー類の例は、キトサン（脱アセチル化キチン）又はキトサン誘導体類が挙げられる。
【００７７】
上述したポリマー類は、本発明の着色剤（ａ）中に、このような試剤がこの目的のために使用される通常の量にて、特に約１重量％〜５重量％の量にて含有されることができる。本発明のトーンシーラント類又はカラーシーラント類のｐＨ値は、好ましくは、約６〜９である。
【００７８】
シーラント類を加えた毛髪用染料の適用は、前記シーラントによって毛髪を湿らせ、毛髪を調髪し、そして次に乾燥させる既知及び通常の方式にて、効果を発揮する。
【００７９】
本発明の着色剤（ａ）、（ｂ）及び（ｃ）は、ケラチン繊維（例えば、ヒトの毛髪、羊毛又は毛皮）に対して、皮膚を、特に頭皮を認識可能な程着色することなく、また、着色剤（ａ）の場合のこの着色は、毛髪の色が認識可能な程度に退色することなく、５回以上の毛髪洗浄に耐える、均一で、強度のある且つ耐久性のある着色を可能にする。
【００８０】
次の例は、どのような制限もなく、本発明の目的をより明確に示す。
【実施例】
【００８１】
実施例１：４−（（Ｅ）−｛４−［２−ブロモエチル）（エチル）アミノ］フェニル｝ジアゼニル）ベンズアルデヒドの調製
ｐ−アミノベンズアルデヒドポリマー４ｇ（３３ミリモル）を、２Ｎ塩酸８０ｍＬ及び水４０ｍＬの混合物中にて懸濁させ、そしてこれを０℃まで冷却する。次に、水８ｍＬ中に亜硝酸ナトリウム２．３ｇ（３３ミリモル）を含む溶液３５ｍＬを３０分以上かけて、更に−３℃まで冷却しつつ滴加した。このようにして得られた茶色がかったジアゾニウム塩溶液に、Ｎ−（２−ブロモエチル）−Ｎ−エチルアニリン７．５３ｇ（３３ミリモル）を少しずつ（４５分を超えて）、連続冷却しながら添加した。これを冷却しながら更に１時間攪拌し、その後調製物を氷上に注いだ。次に、反応混合物を３０％水酸化ナトリウム（約４０ｍＬ）にてゆっくりと中和させ、室温で３０分攪拌し、そして形成された沈殿物をろ過し、水で洗浄し、そして減圧下にて乾燥させた。次に、粗生成物をシリカゲル上にて、ヘプタン及びエチルアセテート（１：２）の混合物と共に色層分析した。
収率：橙赤色粉末５．７５ｇ（４９％）
１Ｈ−ＮＭＲ（ｄ６−ＤＭＳＯ／３００ＭＨｚ）：δ＝１．１６（ｔ，３Ｈ，メチル）、３．５７（ｑ，２Ｈ，メチレン）、３．６６〜３．６８（ｍ，２Ｈ，メチレン）、３．８１〜３．８４（ｍ，２Ｈ，メチレン）、６．９０（ｄ，２Ｈ，Ｊ＝９．３Ｈｚ，フェニル）、７．８４（ｄ，２Ｈ，Ｊ＝９．３Ｈｚ，フェニル）、７．９３（ｄ，２Ｈ，Ｊ＝８．４Ｈｚ，フェニル）、８．０５（ｄ，２Ｈ，Ｊ＝８．７Ｈｚ，フェニル）、１０．０７（ｓ，１Ｈ，ホルミル）。
【００８２】
実施例２：３−（２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝エチル）−１−メチル−１Ｈ−イミダゾール−３−イウムブロミドの調製
【００８３】
工程１：４−（（Ｅ）−｛４−［（２−ブロモエチル）（エチル）アミノ］フェニル｝ジアゼニル）ベンズアルデヒド−（（２Ｚ）−３−メチル−１，３−ベンゾチアゾール−２（３Ｈ）−イリデン）ヒドラゾンの調製
【００８４】
４−（（Ｅ）−｛４−［２−ブロモエチル）（エチル）アミノ］フェニル｝ジアゼニル）ベンズアルデヒド０．２ｇ（０．５５ミリモル）及びＮ−メチルベンゾチアゾリウムヒドラゾン塩酸塩（ＭＢＴＨ）０．１３ｇ（０．５５ミリモル）の１０％酢酸中混合物を室温にて６０分間攪拌した。次に、前記調製物を水５０ｍＬで希釈し、そして氷で冷却した。前記反応混合物を、２Ｎ水酸化ナトリウムにて中和させ、そして形成された沈殿物を吸引ろ過し、水で洗浄し、そして得られた生成物を減圧下にて乾燥させた。
収率：赤色粉末０．２６ｇ（９０％）
１Ｈ−ＮＭＲ（ｄ６−ＤＭＳＯ／３００ＭＨｚ）：δ＝１．１６（ｔ，３Ｈ，メチル）、３．５２（ｑ，２Ｈ，メチレン）、３．５４（ｓ，３Ｈ，メチル）、３．６０〜３．６８（ｍ，２Ｈ，メチレン）、３．８０〜３．８２（ｍ，２Ｈ，メチレン）、６．８８（ｄ，２Ｈ，Ｊ＝９．３Ｈｚ，フェニル）、７．１１〜７．１３（ｍ，１Ｈ，ベンゾチアゾール）、７．３３〜７．３６（ｍ，２Ｈ，ベンゾチアゾール）、７．６３〜７．６６（ｍ，１Ｈ，ベンゾチアゾール）、７．８２（ｄ，２Ｈ，Ｊ＝９．０，フェニル）、７．８６〜７．９１（ｍ，４Ｈ，フェニル）、８．４６（ｓ，１Ｈ，オレフィン）。
【００８５】
工程２：３−（２−｛エチル−４−［（Ｅ）−（４−｛（Ｅ）−［（２Ｚ）−２−（３−メチル−１，３−ベンゾチアゾール−２（３Ｈ）−イリデン）ヒドラゾノ］メチル｝フェニル）ジアゼニル］アニリノ｝エチル）−１−メチル−１Ｈ−イミダゾール−３−イウムブロミドの調製
【００８６】
４−（（Ｅ）−｛４−［（２−ブロモエチル）（エチル）アミノ］フェニル｝ジアゼニル）ベンズアルデヒド−（（２Ｚ）−３−メチル−１，３−ベンゾチアゾール−２（３Ｈ）−イリデン）ヒドラゾン０．２ｇ（０．３８ミリモル）及び硫酸ジメチル０．９６ｇ（７．６ミリモル）のアセトニトリル２５ｍＬ中での混合物０．２ｇ（０．３８ミリモル）を４８時間加熱還流させる。前記溶媒を除去し且つエチルアセテートにて希釈した後、前記生成物を水で抽出した。このようにして分離した水相を蒸発させ、残留物を酢酸エチルで再度洗浄し、次に減圧下にて乾燥させた。
収率：橙赤色粉末０．１６ｇ（６８％）
融点：１５１℃
【００８７】
実施例３：３−｛２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ］エチル｝−１−メチル−１Ｈ−イミダゾール−３−イウムブロミドの調製
【００８８】
工程１：４−（（Ｅ）−｛４−［（２−ブロモエチル）（エチル）アミノ］フェニル｝ジアゼニル）ベンズアルデヒド−（（２Ｚ）−３，４−ジメチル−１，３−チアゾール−２（３Ｈ）−イリデン）ヒドラゾンの調製
【００８９】
４−（（Ｅ）−｛４−［２−ブロモエチル）（エチル）アミノ］フェニル｝ジアゼニル）ベンズアルデヒド０．４３ｇ（１．１８ミリモル）及び（２Ｚ）−３，４−ジメチル−１，３−チアゾール−２（３Ｈ）−オンヒドラゾン塩酸塩０．２１ｇ（１．１８ミリモル）の１０％酢酸中混合物を室温にて６０分間攪拌した。次に、前記調製物を水５０ｍＬで希釈し、そして氷で冷却した。前記反応混合物を、２Ｎ水酸化ナトリウムにて中和させ、そして形成された沈殿物を吸引ろ過し、水で洗浄し、そして得られた生成物を減圧下にて乾燥させた。
収率：ガーネット赤色粉末０．４６ｇ（８０％）
１Ｈ−ＮＭＲ（ＣＤＣｌ３／３００ＭＨｚ）：δ＝１．１３（ｔ，３Ｈ，メチル）、２．１８（ｓ，３Ｈ，メチル）、３．４１（ｑ，２Ｈ，メチレン）、３．４５（ｓ，３Ｈ，メチル）、３．５５〜３．６１（ｍ，２Ｈ，メチレン）、３．７４〜３．７９（ｍ，２Ｈ，メチレン）、５．７７（ｓ，１Ｈ，チアゾール）、６．７８（ｄ，２Ｈ，Ｊ＝９．０Ｈｚ，フェニル）、７．８９〜７．８５（ｍ，４Ｈ，フェニル）、７．９１（ｄ，２Ｈ，Ｊ＝９．０Ｈｚ，フェニル）、８．３６（ｓ，１Ｈ，オレフィン）。
【００９０】
工程２：３−｛２−［４−［（Ｅ）−（４−｛（Ｅ）−［（２Ｚ）−２−（３，４−ジメチル−１，３−チアゾール−２（３Ｈ）−イリデン）ヒドラゾノ］メチル｝フェニル）ジアゼニル］（エチル）アニリノ］エチル｝−１−メチル−１Ｈ−イミダゾール−３−イウムブロミドの調製
【００９１】
４−（（Ｅ）−｛４−［（２−ブロモエチル）（エチル）アミノ］フェニル｝ジアゼニル）ベンズアルデヒド−（（２Ｚ）−３，４−ジメチル−１，３−チアゾール−２（３Ｈ）−イリデン）ヒドラゾン０．２５ｇ（０．５１ミリモル）及び硫酸ジメチル１．２９ｇ（１０．２ミリモル）のアセトニトリル３０ｍＬ中での混合物を４８時間加熱還流させる。前記溶媒を除去し且つエチルアセテートにて残留物を希釈した後、前記生成物を水で抽出した。このようにして分離した水相を蒸発させ、残留物を酢酸エチルで再度洗浄し、減圧下にて乾燥させた。
収率：暗赤色粉末０．１８ｇ（５９％）
融点：１３２℃
【００９２】
実施例４及び５  ：  毛髪染料
【００９３】
【表１】
2008517110.tif 000028
【００９４】
色素溶液は、６〜７のｐＨ値に調整する。毛髪染色は、十分な量の着色剤を毛髪に適用することにより実施され、４０℃にて３０分の作用期間後、毛髪をぬるま湯ですすぎ、次に乾燥させる。
【００９５】
着色結果を、次の表１にまとめた。
【００９６】
【表２】
2008517110.tif 000029
【００９７】
実施例６及び７  ：  同時増白及び着色のための毛髪染料（酸化剤含有）
【００９８】
【表３】
2008517110.tif 000030
【００９９】
【表４】
2008517110.tif 000031
【０１００】
全ての百分率の数字は、特に記述しない限り、重量％を示す。
【国際調査報告】
2008517110.tif 000036
2008517110.tif 000037
2008517110.tif 000038
2008517110.tif 000039